(57)【要約】      （修正有）【課題】爪用塗料成分の飛散低減により周囲の汚れを防止でき、使用者の技術に依存することなく、バラツキのない均一な仕上がりを簡単に実現することができるようにした、爪用塗料スプレー塗布治具及びそれを用いた爪用塗料スプレー塗布方法を提供する。【解決手段】爪用塗料が内部に封入された爪用塗料スプレーで爪にスプレー塗布する際に用いられる爪用塗料スプレー塗布治具１０Ａであり、飛散防止カバー本体１４と、前記飛散防止カバー本体１４に設けられ、前記爪用塗料スプレーの噴射部が挿入されるための噴射部挿入部と、前記飛散防止カバー本体１４に設けられ、被塗布爪を有する指が挿入されるための指挿入開口部２４と、前記飛散防止カバー本体１４内部のエアが排出されるためのエア排出開口部２８と、を含む爪用塗料スプレー塗布治具１０Ａとした。【選択図】図１
2019195413.tif 000002
【特許請求の範囲】
【請求項１】
爪用塗料が内部に封入された爪用塗料スプレーで爪にスプレー塗布する際に用いられる爪用塗料スプレー塗布治具であり、
飛散防止カバー本体と、
前記飛散防止カバー本体に設けられ、前記爪用塗料スプレーの噴射部が挿入されるための噴射部挿入部と、
前記飛散防止カバー本体に設けられ、被塗布爪を有する指が挿入されるための指挿入開口部と、
前記飛散防止カバー本体内部のエアが排出されるためのエア排出開口部と、
を含む爪用塗料スプレー塗布治具。
【請求項２】
前記飛散防止カバー本体の前記噴射部挿入部と前記指挿入開口部との間の内部空間に、爪用塗料の放散空間が形成されてなる、請求項１記載の爪用塗料スプレー塗布治具。
【請求項３】
スプレー塗布を行わない時は、爪用塗料スプレーの噴射部を覆うように前記飛散防止カバー本体を被せることで蓋体としても機能するようにした、請求項１又は２記載の爪用塗料スプレー塗布治具。
【請求項４】
請求項１〜３いずれか１項記載の爪用塗料スプレー塗布治具を用いて、爪用塗料を爪にスプレー塗布してなる、爪用塗料スプレー塗布方法。
【発明の詳細な説明】
【技術分野】
【０００１】
本発明は、爪用塗料を爪にスプレー塗布するための爪用塗料スプレー塗布治具及び爪用塗料スプレー塗布方法に関する。
【背景技術】
【０００２】
従来、爪用塗料として、マニキュアやペディキュアがある。最も一般的なマニキュアは、瓶に入れられた液体状のマニキュアを刷毛で塗布するタイプのマニキュアである。このような刷毛で塗布するマニキュアを使用するにあたっては、次のような問題点があった。
【０００３】
・刷毛を使用すると、使用者の技術により、塗布の仕上がりにバラツキや塗り斑が起きてしまう。塗り斑ができると、厚みにバラツキがでたりするため、乾燥する時間にもバラツキがでてしまう。
・利き手の爪に塗る場合、他方の利き手でない手を使って塗る作業をするのは難しい。
・最後までマニキュアを使用する前に、瓶の内部のマニキュアが揮発してしまい、粘度等の性状が変わってしまうため使い切ることができないことがある。
【０００４】
一方、瓶に入れられた液体状のマニキュアを刷毛で塗布するタイプのマニキュアとは異なり、容器に封入されたマニキュアを霧状に噴射するスプレータイプのマニキュアもある。このようなスプレータイプのマニキュアを使用するにあたっては、次のような問題点があった。
【０００５】
・スプレータイプのマニキュアだと、噴射時に霧状のマニキュアが拡散して空中を舞うため、マニキュア成分が周囲に飛散してしまい、使用者がマニキュア成分を吸引してしまいやすい。
・使用者の技術が優れていて、適正な使用方法であればハケを使うよりも斑なくきれいに仕上がるが、マニキュア成分が舞わないようにするためにスプレーと爪との間の噴射距離を短くする意識が働いて、近すぎると噴射の勢いによって塗り斑が出てしまい仕上がりが悪くなる。塗り斑ができると、厚みにバラツキがでて、乾燥する時間にもバラツキがでてしまう。
【０００６】
スプレータイプのマニキュアの例としては、例えば特許文献１に記載されたスプレータイプのマニキュアがあるが、上記した問題点を解決するものではない。
【先行技術文献】
【特許文献】
【０００７】
【特許文献１】特開２０００−２１２０４３号公報
【発明の概要】
【発明が解決しようとする課題】
【０００８】
本発明は、上記従来技術の問題点に鑑みてなされたもので、爪用塗料成分の飛散低減により周囲の汚れを防止でき、使用者の技術に依存することなく、バラツキのない均一な仕上がりを簡単に実現することができるようにした、爪用塗料スプレー塗布治具及びそれを用いた爪用塗料スプレー塗布方法を提供することを目的とする。
【課題を解決するための手段】
【０００９】
上記課題を解決するために、本発明の爪用塗料スプレー塗布治具は、爪用塗料が内部に封入された爪用塗料スプレーで爪にスプレー塗布する際に用いられる爪用塗料スプレー塗布治具であり、飛散防止カバー本体と、前記飛散防止カバー本体に設けられ、前記爪用塗料スプレーの噴射部が挿入されるための噴射部挿入部と、前記飛散防止カバー本体に設けられ、被塗布爪を有する指が挿入されるための指挿入開口部と、前記飛散防止カバー本体内部のエアが排出されるためのエア排出開口部と、を含む爪用塗料スプレー塗布治具である。
【００１０】
前記飛散防止カバー本体の前記噴射部挿入部と前記指挿入開口部との間の内部空間に、爪用塗料の放散空間が形成されてなるのが好適である。
【００１１】
スプレー塗布を行わない時は、爪用塗料スプレーの噴射部を覆うように前記飛散防止カバー本体を被せることで蓋体としても機能するように構成するのが好適である。
【００１２】
本発明の爪用塗料スプレー塗布方法は、前記爪用塗料スプレー塗布治具を用いて、爪用塗料を爪にスプレー塗布してなる、爪用塗料スプレー塗布方法である。
【発明の効果】
【００１３】
本発明によれば、爪用塗料成分の飛散低減により周囲の汚れを防止でき、使用者の技術に依存することなく、バラツキのない均一な仕上がりを簡単に実現することができるようにした、爪用塗料スプレー塗布治具及びそれを用いた爪用塗料スプレー塗布方法を提供することができるという著大な効果を奏する。
【図面の簡単な説明】
【００１４】
【図１】本発明に係る爪用塗料スプレー塗布治具の飛散防止カバー本体を下側からみた斜視図である。
【図２】本発明に係る爪用塗料スプレー塗布治具の飛散防止カバー本体を上側からみた斜視図である。
【図３】本発明に係る爪用塗料スプレー塗布治具を蓋体として爪用塗料スプレーに被せた状態を示す側面図である。
【図４】本発明に係る爪用塗料スプレー塗布治具１０Ａの使用状態を示す模式図である。
【図５】本発明に係る爪用塗料スプレー塗布治具１０Ｂを示す模式図である。
【図６】本発明に係る爪用塗料スプレー塗布治具１０Ｃを示す模式図である。
【図７】本発明に係る爪用塗料スプレー塗布治具１０Ｄの使用状態を示す模式図である。
【図８】本発明に係る爪用塗料スプレー塗布治具１０Ｅの使用状態を示す模式図である。
【図９】実施例１〜５における爪用塗料のおおよその拡散範囲を示す概略模式図である。
【図１０】比較例３における爪用塗料のおおよその拡散範囲を示す概略模式図である。
【発明を実施するための最良の形態】
【００１５】
以下に本発明の実施の形態を添付図面に基づいて説明するが、図示例は例示的に示されたもので、本発明の技術的思想から逸脱しない限り種々の変形が可能なことは言うまでもない。
【００１６】
図１〜図４において、符号１０Ａは本発明に係る爪用塗料スプレー塗布治具の一つの実施の形態を示す。爪用塗料スプレー塗布治具１０Ａは、爪用塗料が内部に封入された爪用塗料スプレー１２で爪にスプレー塗布する際に用いられる爪用塗料スプレー塗布治具であり、上側開口部１１及び下側開口部１３を有する飛散防止カバー本体１４と、前記飛散防止カバー本体１４に設けられ、前記爪用塗料スプレー１２の噴射部１６が挿入されるための噴射部挿入部１８と、前記飛散防止カバー本体１４に設けられ、塗布される対象である被塗布爪２０を有する指２２が挿入されるための指挿入開口部２４と、前記飛散防止カバー本体１４内部のエア２６が排出されるためのエア排出開口部２８と、を含む構成とされている。
【００１７】
爪用塗料が内部に封入された爪用塗料スプレー１２は加圧ガスも充填されており、エアゾール製品である。このような爪用塗料スプレー１２としては、公知の爪用塗料が封入されたエアゾール製品のスプレーを使用することができる。爪用塗料としては、マニキュア及びペディキュアのいずれも含まれる。
【００１８】
前記爪用塗料スプレー１２の噴射部１６はノズル状の噴射部とした例を示した。噴射部１６は噴射口３０を備えたノズル状アクチュエータ３４を有しており、前記ノズル状アクチュエータ３４が押されると噴射口３０から爪用塗料が霧状に噴射せしめられる。
【００１９】
爪用塗料スプレー塗布治具１０Ａの場合には、図４によく示されるように前記爪用塗料スプレー１２の噴射部１６の噴射口３０を噴射部挿入部１８に挿入する。また、図示の噴射部挿入部１８の周囲には、図２によく示されるように、係止部３２が形成されており、前記係止部３２に、前記爪用塗料スプレー１２のノズル状アクチュエータ３４の縁部が係止されることで、前記爪用塗料スプレー１２を下方に押し込んだ際に、前記爪用塗料スプレー１２の噴射部１６の噴射口３０から爪用塗料が噴射される構造とされている。このように、爪用塗料スプレー塗布治具１０Ａの場合には、前記爪用塗料スプレー１２の噴射部１６が噴射部挿入部１８に挿入されつつ噴射部１６の縁部が係止される構造とされている。
【００２０】
爪用塗料スプレー塗布治具１０Ａの飛散防止カバー本体１４としては、図示例では図１によく示されるように、円筒状の飛散防止カバー本体１４とした例を示した。飛散防止カバー本体１４の形状には特別の限定はなく、霧状に噴射される爪用塗料の飛散防止が図れるのであれば、円筒状や角筒状などの筒状の形状以外にも、種々の形状の中空体の他、種々の形状の囲繞体でもよい。爪用塗料スプレー塗布治具１０Ａの場合、テーブルＴなどの上に前記飛散防止カバー本体１４を立てて、前記爪用塗料スプレー１２を図４のように逆さまにして前記爪用塗料スプレー１２の噴射部１６を前記噴射部挿入部１８に挿入して押すため、前記飛散防止カバー本体１４が崩れない程度の硬さを有するのが好適である。前記飛散防止カバー本体１４の硬さの出し方は、前記飛散防止カバー本体１４自体を硬質材料で形成してもよく、或いは硬質の柱などで補強する構造などとしてもよい。また、前記飛散防止カバー本体１４を形成する材質に特別の限定はなく、合成樹脂、木材、金属、セラミック、ガラスや複合材料など、公知の材料をいずれも使用可能である。
【００２１】
なお、図示例では、安定性の観点などから、飛散防止カバー本体１４の下端の方に向かうに従い、若干、飛散防止カバー本体１４の径が拡大し、径大となっている例を示した。
【００２２】
指挿入開口部２４としては、図示例では、飛散防止カバー本体１４の下端を矩形状に切り欠いて形成した例を示した。指挿入開口部２４は、被塗布爪２０を有する指２２が挿入される構造であればよいものであるから、飛散防止カバー本体１４の下端を切り欠いて形成する以外にも、飛散防止カバー本体１４の周面に指を入れる孔を形成したりしてもよい。また、指の大きさなどに合わせて種々の大きさにしたりすることもできるし、形状も、矩形状以外の形状、例えば円形などとしてもよい。さらに、図示例では、矩形状の指挿入開口部２４に薬指だけを挿入した例を示したが、２本以上の指を指挿入開口部２４に挿入して使用したりしてもよい。なお、指挿入開口部２４を複数個設けてもよい。
【００２３】
エア排出開口部２８としては、図示例では、飛散防止カバー本体１４の下端を縦長の半円形状に切り欠いて形成した例を示した。エア排出開口部２８は横長にすると広範囲に広がってしまうおそれがあるため、縦長の方が好適である。
【００２４】
エア排出開口部２８は、爪用塗料が噴射された際に、前記飛散防止カバー本体１４内部のエア２６、即ち噴射された爪用塗料を含むエア、が排出されるようにしたものである。このため、飛散防止カバー本体１４の下端を切り欠いて形成する以外にも、飛散防止カバー本体１４の周面に孔を形成したりしてもよい。また、エア排出開口部２８を複数個形成したりしてもよい。
【００２５】
周囲にカバーをした状態で爪用塗料を噴射すると噴射ガスの逃げ道が無くカバー内部で滞留し、乾燥スピードが低下してしまう。よって仕上がりも悪くなるため、本発明の爪用塗料スプレー塗布治具１０Ａでは、エア排出開口部２８を形成してエアの逃げ口を設けている。エア排出開口部２８は、使用者の反対側方向である指挿入開口部２４の反対側に設けるのが好ましい。エア排出開口部２８から爪用塗料を含むエアが出てくるので、使用者に付着して汚れるのを防ぐためである。なお、後述する爪用塗料スプレー塗布治具１０Ｂの形態のように、エア排出開口部と指挿入開口部とを兼用する構成としてもよい。また、後述する爪用塗料スプレー塗布治具１０Ｃの形態のように、エア排出開口部と上側開口部とを兼用する構成としてもよい。
【００２６】
前記飛散防止カバー本体１４の前記噴射部挿入部１８と前記指挿入開口部２４との間の内部空間には霧状に噴射された爪用塗料が放散する放散空間３６が形成されている。前記爪用塗料スプレー１２の噴射部１６の噴射口３０から、被塗布爪２０までの噴射距離は、霧状に噴射される爪用塗料の量や噴射時のガス圧などにもよるが、例えば５ｃｍ〜２０ｃｍが好ましく、さらに１０ｃｍ程度が好ましい。霧状に噴射される爪用塗料の量や噴射時のガス圧などにもよるが、噴射距離をあまり近づけると、噴射された爪用塗料が噴射の勢いでヨレやすくなり、仕上がりが悪くなるおそれがあるからである。
【００２７】
また、本発明の爪用塗料スプレー塗布治具は、スプレー塗布を行わない時は、爪用塗料スプレーの噴射部を覆うように前記飛散防止カバー本体を被せることで蓋体としても機能するように構成するのが好適である。図３には、爪用塗料スプレー１２の噴射部１６を覆うように前記飛散防止カバー本体１４を被せることで蓋体４０とした例を示した。
【００２８】
本発明の爪用塗料スプレー塗布方法は、本発明の爪用塗料スプレー塗布治具を用いて、爪にスプレー塗布するようにすればよい。爪用塗料スプレー塗布治具１０Ａを用いた爪用塗料スプレー塗布方法を図３及び図４に基づいて説明する。
【００２９】
まず、図３の状態から、爪用塗料スプレー１２に覆い被さっている飛散防止カバー本体１４を外す。外した飛散防止カバー本体１４をテーブルＴなどの上に立てる。そして、図４のように、前記爪用塗料スプレー１２を逆さまにして前記爪用塗料スプレー１２の噴射部１６を前記飛散防止カバー本体１４の前記噴射部挿入部１８に挿入する。一方、被塗布爪２０を有する指２２を指挿入開口部２４に挿入して、被塗布爪２０が前記爪用塗料スプレー１２の噴射部１６の下に位置するようにセットする。そして、この状態から前記爪用塗料スプレー１２を図４の矢印Ｐの方向である下方に押して、噴射部１６から爪用塗料を噴射する。このようにして、被塗布爪２０に爪用塗料がスプレー塗布される。被塗布爪２０以外の指などに爪用塗料が付着した場合には、被塗布爪２０以外の箇所を洗浄したりすればよい。
【００３０】
また、水溶性の爪用塗料を使用する場合には、上記のようにして被塗布爪２０に爪用塗料をスプレー塗布した後、前記スプレー塗布された被塗布爪２０の爪用塗料層の上にさらにトップコートを塗布し、その後、手指を洗うようにする。このようにすれば、トップコートで前記被塗布爪２０の爪用塗料が被覆されるので前記被塗布爪２０にのみ爪用塗料が綺麗に付着せしめられることとなる。
【００３１】
刷毛を使った一般的なマニキュアの問題点は、スプレータイプの爪用塗料を用いることで解決することができる。しかしながら、スプレータイプの爪用塗料では噴射時に霧状の爪用塗料が拡散して空中を舞うという問題があった。この点、本発明では、爪用塗料スプレーの噴射口から霧状の爪用塗料を噴射しても、飛散防止カバー本体によって拡散が低減されるため、周囲に予想外に飛散することがない。このように、本発明の爪用塗料スプレー塗布治具は拡散低減機構を備えている。
【００３２】
本発明の爪用塗料スプレー塗布治具の一つの実施の形態である爪用塗料スプレー塗布治具１０Ａでは、爪用塗料の噴射位置のブレを抑えるため、使用時には爪用塗料スプレーを倒立せしめて噴射するようにした。このように、倒立させる機構のため、爪用塗料スプレー缶やボトルを握って下方に押し込んで爪用塗料を噴射するやり方となる。
【００３３】
爪用塗料スプレーのスプレー容器の噴射ボタンを人差し指で押すタイプだと、人差し指に力を入れる必要があり、非力な人には大変に感じることもあるが、爪用塗料スプレー塗布治具１０Ａでは、爪用塗料スプレー缶やボトルを手の平で握って下方に押し込んで爪用塗料を噴射できるため力を入れやすく、非力な人でも容易に噴射が可能という利点がある。
【００３４】
また、前記飛散防止カバー本体１４により、被塗布爪２０と噴射口３０の距離が自動的に一定となるので、使用者の技術に依ることなく、仕上がりのバラツキがなくなる。噴射部１６が固定される機構であるため、噴射口３０からの爪用塗料の噴射時のブレが収まり、常に同位置への噴射が可能になる。
【００３５】
次に、本発明の爪用塗料スプレー塗布治具の別の実施の形態を図５に示す。図５において、符号１０Ｂは本発明に係る爪用塗料スプレー塗布治具の別の実施の形態を示す。
【００３６】
爪用塗料スプレー塗布治具１０Ｂは、爪用塗料が内部に封入された爪用塗料スプレー１２で爪にスプレー塗布する際に用いられる爪用塗料スプレー塗布治具であり、上側開口部１１及び下側開口部４２を有する飛散防止カバー本体４６と、前記飛散防止カバー本体４６に設けられ、前記爪用塗料スプレー１２の噴射部１６が挿入されるための噴射部挿入部１８と、前記飛散防止カバー本体４６に設けられ、塗布される対象である被塗布爪２０を有する指２２が挿入されるための指挿入開口部４８と、前記飛散防止カバー本体１４内部のエア２６が排出されるためのエア排出開口部５０と、を含む構成とされている。符号３２は係止部である。
【００３７】
爪用塗料スプレー塗布治具１０Ｂの構成において、爪用塗料スプレー塗布治具１０Ａの構成と同様のものは同一の符号で示した。すなわち、爪用塗料スプレー塗布治具１０Ｂでは、前記飛散防止カバー本体４６の下端には、指挿入開口部４８とエア排出開口部５０とを兼用する開口部が一箇所形成されているだけの構成である点において、爪用塗料スプレー塗布治具１０Ａとは異なる。このような構成とすることもできる。
【００３８】
さらに、本発明の爪用塗料スプレー塗布治具のさらに別の実施の形態を図６に示す。図６において、符号１０Ｃは本発明に係る爪用塗料スプレー塗布治具の別の実施の形態を示す。
【００３９】
爪用塗料スプレー塗布治具１０Ｃは、爪用塗料が内部に封入された爪用塗料スプレー１２で爪にスプレー塗布する際に用いられる爪用塗料スプレー塗布治具であり、上側開口部１１及び下側開口部５２を有する飛散防止カバー本体５４と、前記飛散防止カバー本体５４に設けられ、前記爪用塗料スプレー１２の噴射部１６が挿入されるための噴射部挿入部１８と、前記飛散防止カバー本体５４に設けられ、塗布される対象である被塗布爪２０を有する指２２が挿入されるための指挿入開口部５６と、前記飛散防止カバー本体５４内部のエア２６が排出されるためのエア排出開口部５８と、を含む構成とされている。符号３２は係止部である。
【００４０】
爪用塗料スプレー塗布治具１０Ｃの構成において、爪用塗料スプレー塗布治具１０Ａの構成と同様のものは同一の符号で示した。爪用塗料スプレー塗布治具１０Ｃでは、前記飛散防止カバー本体５４の下端には、指挿入開口部５６が一箇所形成されているだけの構成であり、指挿入開口部５６は指２２を入れると隙間のない状態となるように構成されている。このため、前記飛散防止カバー本体５４内部のエア２６は、上へと向かい上側開口部１１から排出されることとなる。すなわち、上側開口部１１とエア排出開口部５８とが兼用となっている構成である点において、爪用塗料スプレー塗布治具１０Ａとは異なる。このような構成とすることもできる。
【００４１】
さらにまた、本発明の爪用塗料スプレー塗布治具の他の実施の形態を図７に示す。図７において、符号１０Ｄは本発明に係る爪用塗料スプレー塗布治具の他の実施の形態を示す。
【００４２】
爪用塗料スプレー塗布治具１０Ｄは、爪用塗料が内部に封入された爪用塗料スプレー１２で爪にスプレー塗布する際に用いられる爪用塗料スプレー塗布治具であり、上側開口部１１及び下側開口部６０を有する飛散防止カバー本体６２と、前記飛散防止カバー本体６２に設けられ、前記爪用塗料スプレー１２の噴射部１６が挿入されるための噴射部挿入部１８と、前記飛散防止カバー本体６２に設けられ、塗布される対象である被塗布爪２０を有する指２２が挿入されるための指挿入開口部６４と、前記飛散防止カバー本体６２内部のエア２６が排出されるためのエア排出開口部６６と、を含む構成とされている。符号３２は係止部である。
【００４３】
爪用塗料スプレー塗布治具１０Ｄは、飛散防止カバー本体６２の形状が、爪用塗料スプレー塗布治具１０Ａに示した飛散防止カバー本体１４のような円筒形状ではない点で爪用塗料スプレー塗布治具１０Ａと相違する。爪用塗料スプレー塗布治具１０Ｄは、例えば、３５０ｍｌ容量の飲料用ペットボトルを転用して加工することなどにより、容易に作成可能である。このような構成とすることもできる。
【００４４】
本発明の爪用塗料スプレー塗布治具のさらに他の実施の形態を図８に示す。図８において、符号１０Ｅは本発明に係る爪用塗料スプレー塗布治具のさらに他の実施の形態を示す。
【００４５】
爪用塗料スプレー塗布治具１０Ｅは、爪用塗料が内部に封入された爪用塗料スプレー１２で爪にスプレー塗布する際に用いられる爪用塗料スプレー塗布治具であり、上側開口部６８及び下側開口部７０を有する飛散防止カバー本体７２と、前記飛散防止カバー本体７２に設けられ、前記爪用塗料スプレー１２の噴射部８８が挿入されるための噴射部挿入部７４と、前記飛散防止カバー本体７２に設けられ、塗布される対象である被塗布爪２０を有する指２２が挿入されるための指挿入開口部７６と、前記飛散防止カバー本体７２内部のエア２６が排出されるためのエア排出開口部７８と、を含む構成とされている。指挿入開口部７６の形状は、前記飛散防止カバー本体７２の下端に形成された半円形状の切り欠きである。エア排出開口部７８の形状は、前記飛散防止カバー本体７２の下端に形成された縦長の半円形状の切り欠きである。また、噴射部８８としては噴射口８６を備えたボタン状アクチュエータ８０が取り付けられており、前記ボタン状アクチュエータ８０を押すと、爪用塗料が噴射される。なお、図８において、符号９０はマウンティングカップを示す。
【００４６】
爪用塗料スプレー塗布治具１０Ｅは、爪用塗料スプレー塗布治具１０Ａのように、前記爪用塗料スプレー１２を逆さまにして下に押し込んで噴射するのではなく、上側開口部６８から使用者が指を入れて、噴射部挿入部７４に挿入された前記爪用塗料スプレー１２の噴射部８８のボタン状アクチュエータ８０を押すことで、爪用塗料を噴射する構成とされている。このような構成とすることもできる。
【００４７】
また、上記した爪用塗料スプレー塗布治具１０Ｂ〜１０Ｅのいずれも、スプレー塗布を行わない不使用時には、爪用塗料スプレー１２の噴射部１６，８８を覆うように前記飛散防止カバー本体４６，５４，６２，７２を被せることで蓋体としても機能するように構成されている。また、材質を含めた基本的構成としては、爪用塗料スプレー塗布治具１０Ａと同様に構成すればよい。
【実施例】
【００４８】
以下に実施例をあげて本発明をさらに具体的に説明するが、これらの実施例は例示的に示されるもので限定的に解釈されるべきでないことはいうまでもない。
【００４９】
（実施例１〜５）
上述した爪用塗料スプレー１２及び爪用塗料スプレー塗布治具１０Ａと同様の構成の爪用塗料スプレー塗布治具を用い、爪用塗料スプレーを噴射部からの１回噴射（１プッシュ）で０．１ｃｃの爪用塗料が霧状に噴射される条件で、テーブルＴの上で、被塗布爪へのスプレー塗布を行った。エア排出開口部のサイズ及び爪用塗料スプレーの噴射部の噴射口から被塗布爪までの噴射距離は、表１に示す通りで行った。
【００５０】
また、実施例１〜５での爪用塗料のおおよその拡散範囲を図９に示す。爪用塗料スプレー１２を逆さまにして爪用塗料スプレー塗布治具を使って爪用塗料を霧状に噴射した場合、爪用塗料スプレー１２の底面８２からみた拡散範囲８４は図９のようになった。図９のＤ１の距離は、実施例１〜５でおおよそ５０ｃｍ程度であった。
【００５１】
（比較例１及び２）
上述した爪用塗料スプレー塗布治具として、指が隙間なく挿入されるように指挿入開口部を形成した以外は、エア排出開口部を閉塞し、エアが漏れないようにした爪用塗料スプレー塗布治具を準備した。このエア排出開口部を閉塞した塗料スプレー塗布治具を用いて、爪用塗料スプレーを噴射部からの１回噴射（１プッシュ）で０．１ｃｃの爪用塗料が霧状に噴射される条件で、テーブルＴの上で、被塗布爪へのスプレー塗布を行った。爪用塗料スプレーの噴射部の噴射口から被塗布爪までの噴射距離は、表１に示す通りで行った。
【００５２】
（比較例３）
爪用塗料スプレー塗布治具を用いることなく、爪用塗料スプレーを噴射部からの１回噴射（１プッシュ）で０．１ｃｃの爪用塗料が霧状に噴射される条件で、爪用塗料スプレーを逆さまにして、テーブルＴの上で、被塗布爪へのスプレー塗布を行った。爪用塗料スプレーの噴射部の噴射口から被塗布爪までの噴射距離は、表１に示す通りで行った。
【００５３】
また、比較例３の爪用塗料のおおよその拡散範囲を図１０に示す。爪用塗料スプレー１２を逆さまにして爪用塗料を霧状に噴射した場合、爪用塗料スプレー１２の底面８２からみた拡散範囲８４は図１０のようになった。図１０のＤ２の距離は、おおよそ４０ｃｍ程度であった。
【００５４】
【表１】
2019195413.tif 000003
＜評価＞目視にて評価
◎：付着量が適量で均一な塗布、○：付着量が少ないが均一な塗布、△：ヨレないがやや不均一な塗布、×：塗布の厚みにバラツキ。
【００５５】
実施例１〜５のいずれも、噴射の勢いでヨレることがなかった。また、噴射距離が１０ｃｍ以上離れている場合や、エア排出開口部の高さ２ｃｍ以上あるものの方が、より均一に付着しており、乾燥も均一となり、より綺麗な仕上がりとなった。爪用塗料のおおよその拡散範囲については、エア排出開口部の周辺のみが汚れるので予め予測ができ、対策が容易であった。
【００５６】
比較例１及び２のいずれも、噴射の勢いでヨレてしまい、塗布の厚みにバラツキがでてしまい、均一にも乾燥しなかった。比較例３では、周囲に全体的に拡散してしまい、周辺が汚れてしまった。また、使用者が爪用塗料を吸い込んでしまわないようにするのが大変であった。さらに、比較例３では、空中で爪用塗料スプレーを保持しなければならず、噴射距離を定めるのが難しく、塗布の厚みにバラツキがでてしまい、均一にも乾燥しなかった。
【符号の説明】
【００５７】
１０Ａ〜１０Ｅ：本発明の爪用塗料スプレー塗布治具、１１，６８：上側開口部、１２：爪用塗料スプレー、１３，４２，５２，６０，７０：下側開口部、１４，４６，５４，６２，７２：飛散防止カバー本体、１６，８８：噴射部、１８，７４：噴射部挿入部、２０：被塗布爪、２２：指、２４，４８，５６，６４，７６：指挿入開口部、２６：エア、２８，５０，５８，６６，７８：エア排出開口部、３０，８６：噴射口、３２：係止部、３４：ノズル状アクチュエータ、３６：放散空間、４０：蓋体、８０：ボタン状アクチュエータ、８２：爪用塗料スプレーの底面、８４：拡散範囲、９０：マウンティングカップ、Ｐ：矢印、Ｔ：テーブル。
【図１】
2019195413.tif 000004
【図２】
2019195413.tif 000005
【図３】
2019195413.tif 000006
【図４】
2019195413.tif 000007
【図５】
2019195413.tif 000008
【図６】
2019195413.tif 000009
【図７】
2019195413.tif 000010
【図８】
2019195413.tif 000011
【図９】
2019195413.tif 000012
【図１０】
2019195413.tif 000013